(57)【要約】      （修正有）【課題】使用時に脚部が変形し難い脚折り畳み式テーブルを提供する。【解決手段】テーブル天板２と前記テーブル天板２に回動可能に取り付けられた一対の脚部３を有し、前記脚部３をテーブル天板２の下面側に沿わせる収納状態及び前記脚部３をテーブル天板２に対して立ち上がらせてテーブル脚となる使用状態に切り替えることができる脚折り畳み式テーブル１において、前記各脚部３が、上端部が前記テーブル天板２に回動可能に取り付けられた一対の支え棒部３１と、前記一対の支え棒部３１の下端部の間に連結された接地棒部３２とを有し、前記一対の支え棒部３１のうち少なくとも一方の支え棒部３１と前記接地棒部３２の間に、前記接地棒部３２に対して斜めに延びる補強棒部７が架設されている。【選択図】図２
0003224047.tif 000002
【実用新案登録請求の範囲】
【請求項１】
テーブル天板と前記テーブル天板に回動可能に取り付けられた一対の脚部とを有し、前記脚部をテーブル天板の下面側に沿わせる収納状態及び前記脚部をテーブル天板に対して立ち上がらせてテーブル脚となる使用状態に切り替えることができる脚折り畳み式テーブルにおいて、
前記各脚部が、上端部が前記テーブル天板に回動可能に取り付けられた一対の支え棒部と、前記一対の支え棒部の下端部の間に連結された接地棒部と、を有し、
前記一対の支え棒部のうち少なくとも一方の支え棒部と前記接地棒部の間に、前記支え棒部に対して斜めに延びる補強棒部が架設されている、脚折り畳み式テーブル。
【請求項２】
前記一対の支え棒部と前記接地棒部の間に、それぞれ、前記補強棒部が架設されている、請求項１に記載の脚折り畳み式ケーブル。
【請求項３】
前記支え棒部と前記接地棒部が、１本の金属製の棒部材の曲げ加工品からなる、請求項１または２に記載の脚折り畳み式テーブル。
【考案の詳細な説明】
【技術分野】
【０００１】
本考案は、テーブル天板に回動可能に取り付けられた脚部を有する脚折り畳み式テーブルに関する。
【背景技術】
【０００２】
従来、非特許文献１に記載されたような脚折り畳み式テーブルが知られている。
この脚折り畳み式テーブルは、一対の脚部をテーブル天板の下面側に沿わせて収納した収納状態、及び、一対の脚部をテーブル天板に対して立ち上がらせてテーブル脚とする使用状態に切り替えることができる。一対の脚部は、テーブル天板の下面側に回動可能に取り付けられた一対の支え棒部と、一対の支え棒部の下端部の間に連結された接地棒部と、からなり、前記支え棒部と前記接地棒部が、１本の棒部材の曲げ加工品から構成されている。図７は、この脚折り畳み式テーブルの写真に用語を付加した写真図である。
かかる脚折り畳み式テーブルは、比較的簡易な構造であるため、使いやすく、さらに、安価に製造できる。
前記脚折り畳み式テーブルは、脚部の収納状態では、テーブル天板と略同じ大きさになり、使用状態では、一対の脚部をテーブル天板に対して立ち上がらせ、脚部を接地させてテーブル天板の上面に物品を載せることができる。このようにコンパクトに収納できるので、キャンプなどの屋外用のテーブルとして良好なものである。
【先行技術文献】
【非特許文献】
【０００３】
【非特許文献１】２０１９年８月１０日検索、インターネットＵＲＬ：ｈｔｔｐｓ：／／ｗｗｗ．ｔｅｎｔｆａｃｔｏｒｙ．ｊｐ／ｉｔｅｍｓ？ｕｉｄ＝００４００１００４
【考案の概要】
【０００４】
しかしながら、前記脚折り畳み式テーブルは、脚部がテーブル天板の下面側に立ち上がる一対の支え棒部と、一対の支え棒部の下端部の間に連結された接地棒部と、からなるので、テーブル天板に比較的大きな荷重又は突発的な衝撃が加わった際に、支え棒部（ひいては接地棒部）が変形するおそれがある。特に、使用状態においてテーブル天板を高い位置とするために、脚部を高くすると（つまり支え棒部を長くすると）、前記のように荷重などが加わった際に、支え棒部が変形する蓋然性が高くなる。
この点、太い棒部材で脚部を形成することも考えられるが、そうすると、テーブルの重量が大きくなって運搬し難くなる上、材料コストが上昇する。
【考案が解決しようとする課題】
【０００５】
本考案の課題は、使用時に支え棒部が変形し難い脚折り畳み式テーブルを提供することである。
【課題を解決するための手段】
【０００６】
本考案の脚折り畳み式テーブルは、テーブル天板と前記テーブル天板に回動可能に取り付けられた一対の脚部とを有し、前記脚部をテーブル天板の下面側に沿わせる収納状態及び前記脚部をテーブル天板に対して立ち上がらせてテーブル脚となる使用状態に切り替えることができる脚折り畳み式テーブルにおいて、前記各脚部が、上端部が前記テーブル天板に回動可能に取り付けられた一対の支え棒部と、前記一対の支え棒部の下端部の間に連結された接地棒部と、を有し、前記一対の支え棒部のうち少なくとも一方の支え棒部と前記接地棒部の間に、前記支え棒部に対して斜めに延びる補強棒部が架設されている。
【０００７】
本考案の好ましい脚折り畳み式テーブルは、前記一対の支え棒部と前記接地棒部の間に、それぞれ、前記補強棒部が架設されている。
本考案の好ましい脚折り畳み式テーブルは、前記支え棒部と前記接地棒部が、１本の金属製の棒部材の曲げ加工品からなる。
【考案の効果】
【０００８】
本考案の脚折り畳み式テーブルは、使用時にテーブル天板に比較的重たい物品を載せた場合などであっても、支え棒部が変形し難く、脚部によってテーブル天板を良好に支えることができる。
【図面の簡単な説明】
【０００９】
【図１】本考案の使用状態における脚折り畳み式テーブルの斜視図。
【図２】同脚折り畳み式テーブルの正面図。
【図３】同脚折り畳み式テーブルの底面図。
【図４】図３のＩＶ−ＩＶ線で切断した断面図。
【図５】収納状態における脚折り畳み式テーブルの底面図。
【図６】本考案に係る脚折り畳み式テーブルの写真図。
【図７】従来の脚折り畳み式テーブルの写真図。
【考案を実施するための形態】
【００１０】
図１乃至図４は、本考案の脚折り畳み式テーブルの使用状態を示している。図１は、本考案の使用状態における脚折り畳み式テーブルの斜視図、図２は、使用状態における脚折り畳み式テーブルの正面図、図３は、使用状態における脚折り畳み式テーブルを下面側から見た平面図（底面図）、図４は、その断面図であり、図５は、収納状態における脚折り畳み式テーブルを下面側から見た平面図（底面図）である。図６は、本考案の脚折り畳み式テーブルの試作品の写真図である。試作品の写真図である図６には、符号を記載していないことに留意されたい。
【００１１】
図１乃至図６を参照して、本考案の脚折り畳み式テーブル１は、テーブル天板２と、使用状態においてテーブル天板２を支える一対の脚部３，３と、を有する。
一対の脚部３，３は、それぞれ独立して、テーブル天板２に回動可能に取り付けられている。
図１乃至図４及び図６に示す使用状態（脚部３を立ち上がらせてテーブル脚とした状態）から、一対の脚部３，３をテーブル天板２側に回動させることにより、図５に示すように、各脚部３，３をテーブル天板２の下面側に沿わせて収納できる（収納状態）。他方、前記収納状態の脚部３をテーブル天板２から離れる方向に回動させることにより、図１乃至図４及び図６に示すように、各脚部３，３をテーブル天板２に対して立ち上がらせ、その脚部３，３をテーブル脚として使用できる（使用状態）。
【００１２】
テーブル天板２は、例えば、平面視略矩形状（略長方形状又は略正方形状）に形成されている。テーブル天板２は、その上面に物品を載せることができればよく、従来公知の構造を採用できる。
図示例では、テーブル天板２は、枠部材２１と、その枠部材２１に取り付けられた板状体２２と、から構成されている。テーブル天板２（枠部材２１及び板状体２２）の材質は、特に限定されず、鉄などの金属、木材、プラスチックなどが挙げられる。耐久性に優れていることから、テーブル天板２（枠部材２１及び板状体２２）は鉄などの金属製であることが好ましい。
【００１３】
板状体２２は、その上面に物品を安定的に載せることができるように、その上面が平坦状であればよく、例えば、エキスパンドメタルなどの金網、金属板、木質板、プラスチック板、プラスチック網目板などが挙げられる。図示例では、板状体２２は、エキスパンドメタルなどの金網から形成されている。なお、図１、図３乃至図５では、金網からなる板状体２２の網目の一部分だけ表している。
枠部材２１は、例えば、平面部２１１と側面部２１２とからなる断面視略Ｌ字状の部材から形成されている。例えば、枠部材２１は、金属製のＬ字アングルを組合わせることによって形成されている。
枠部材２１と板状体２２が、いずれも金属製である場合には、溶接によって、枠部材２１の下面部（又は上面部）に板状体２２を固着することが好ましいが、枠部材２１の下面部（又は上面部若しくは側面部２１２）に板状体２２をネジ又はボルト止めなどの溶接以外の手段で取り付けてもよい。
【００１４】
また、板状体２２の下面には、補強部材４が設けられている。補強部材４は、例えば、金属製の棒状体を用いることができる。前記補強部材４（金属製の棒状体など）は、板状体２２の下面に沿って配置され、その両端部が枠部材２１の側面部２１２に溶接などの手段によって取り付けられている。
なお、枠部材２１の側面部２１２には、取っ手部５が設けられている。取っ手部５は、例えば、枠部材２１の側面部２１２に出退可能な状態で取り付けられている。
【００１５】
一対の脚部３，３は、テーブル天板２の下面において向かい合って配置されている。脚部３の材質は、特に限定されず、鉄などの金属、木材、プラスチックなどが挙げられるが、耐久性に優れていることから、脚部３は、鉄などの金属製であることが好ましい。
脚部３は、一対の支え棒部３１，３１と、一対の支え棒部３１，３１の下端部に架け渡された接地棒部３２と、を有し、支え棒部３１と接地棒部３２の間に、補強棒部７が架け渡されている。
支え棒部３１は、左右一対設けられている。支え棒部３１の上端部は、テーブル天板２に回動可能に取り付けられている。例えば、テーブル天板２の下面側に、孔部６１を有する取り付け板部６が固着されている。取り付け板部６は、テーブル天板２の端部において向かい合って１組設けられており、その１組の取り付け板部６，６に、１つの脚部３が回動可能に取り付けられる。従って、一対の脚部３，３に対応して、１組の取り付け板部６，６が一対設けられている。
【００１６】
各取り付け板部６は、テーブル天板２の平面部２１１に対して直交する方向に垂下されており、その板部６の面内には、支え棒部３１の上端部を挿入する孔部６１が形成されている。また、取り付け板部６には、支え棒部３１を所定位置（支え棒部３１がテーブル天板２の下面側に略垂直方向に立ち上がった位置）に維持するための、ストッパー部６２が設けられている（図４参照）。
各支え棒部３１の上端部は、外向きに折り曲げられ、前記取り付け板部６の孔部６１に挿入されている。支え棒部３１（脚部３）は、取り付け板部６の孔部６１を中心として孔部６１周りに回動可能であるが、支え棒部３１がストッパー部６２に当たると、それ以上回動しなくなっている。
【００１７】
一対の支え棒部３１，３１の下端部の間には、接地棒部３２が連結されている。各接地棒部３２は、支え棒部３１に対して略直交するように配置されていてもよく、或いは、図示のように、支え棒部３１に対してやや鋭角を成すように配置されていてもよい。また、接地棒部３２は、直線状に延びる棒状でもよく、或いは、図示のように、山型状に屈曲した又は弧状に湾曲した棒状でもよい。
また、支え棒部３１と接地棒部３２は、別体で形成され、溶接などの手段によって連結されていてもよいが、形成容易であることから、図示例のように、支え棒部３１と接地棒部３２は、１本の金属製の棒部材（例えば、金属製丸棒）の曲げ加工品からなることが好ましい。
【００１８】
前記一対の支え棒部３１，３１のうち少なくとも一方の支え棒部３１と接地棒部３２の間に、支え棒部３１に対して斜めに延びる補強棒部７が架設されている。好ましくは、一対の支え棒部３１，３１と接地棒部３２の間に、それぞれ補強棒部７，７が架設されている。
補強棒部７の材質は、特に限定されず、鉄などの金属、木材、プラスチックなどが挙げられるが、耐久性に優れていることから、補強棒部７は、鉄などの金属製であることが好ましい。図示例では、補強棒部７は、金属製丸棒からなる。
補強棒部７は、屈曲又は湾曲していてもよいが、支え棒部３１と接地棒部３２の間に介在して支え棒部３１を効果的に補強するために、直線状であることが好ましい。
補強棒部７の一端部は、支え棒部３１の中途部に溶接などの手段によって固着され、補強棒部７の他端部は、接地棒部３２の中途部に溶接などの手段によって固着されている。一対の支え棒部３１，３１と接地棒部３２の間にそれぞれ補強棒部７，７が架設されている好ましい例にあっては、例えば、１つの補強棒部７の一端部は一方の支え棒部３１の中途部に固着され且つその１つの補強棒部７の他端部は接地棒部３２の幅方向中間部に溶接などの手段によって固着され、もう１つの補強棒部７の一端部はもう一方の支え棒部３１の中途部に固着され且つそのもう１つの補強棒部７の他端部は接地棒部３２の幅方向中間部に溶接などの手段によって固着されている。
【００１９】
補強棒部７は、支え棒部３１に対して斜めに延びるようにして支え棒部３１と接地棒部３２の間に架設されていればよいが、支え棒部３１に対する補強棒部７の傾斜角度が小さい又は大きすぎると、支え棒部３１を補強する効果が小さくなるおそれがある。かかる観点から、図２を参照して、支え棒部３１に対する補強棒部７の傾斜角度θは、２０度〜７０度の範囲であることが好ましく、さらに、２５度〜６０度の範囲であることがより好ましく、３０度〜５５度の範囲であることがさらに好ましい。
【００２０】
本考案の脚折り畳み式テーブル１は、一対の脚部３，３を立ち上がらせてテーブル脚とし、その接地棒部３２をグラウンド上に接地させることによって使用する。
使用時には、テーブル天板２の上面に様々な物品を載せるが、本考案の脚折り畳み式テーブル１は、支え棒部３１と接地棒部３２の間に前記支え棒部３１に対して斜めに延びる補強棒部７が架設されているので、支え棒部３１に加わる荷重が補強棒部７を介して接地棒部３２に分散されるようになる。従って、テーブル天板２に比較的重たい物品を載せる或いは突発的な衝撃が加わっても、支え棒部３１が変形し難く、脚部３によってテーブル天板２を良好に支えることができる。
特に、使用状態におけるテーブル天板２の高さを高くするために、支え棒部３１を長くすると、支え棒部３１が変形する蓋然性が大きくなるが、本考案の脚折り畳み式テーブル１にあっては、支え棒部３１を長くして使用時のテーブル天板２の位置を高くした場合であっても、支え棒部３１（脚部３）が変形し難くなる。
【符号の説明】
【００２１】
１…脚折り畳み式テーブル、２…テーブル天板、３…脚部、３１…支え棒部、３２…接地棒部、７…補強棒部
【図１】
0003224047.tif 000003
【図２】
0003224047.tif 000004
【図３】
0003224047.tif 000005
【図４】
0003224047.tif 000006
【図５】
0003224047.tif 000007
【図６】
0003224047.tif 000008
【図７】
0003224047.tif 000009